(57)【要約】      （修正有）【課題】雪庇防止装置において、積雪量の不確定条件に対応するための積雪量の変化に応じて雪止板の取り替え作業を不要とし、その雪止板が風雪を拡散せず、進行風速を低下させないようにする。【解決手段】  雪庇防止装置１の上部頂点と揺動材２との間に、変位自在の揺動材支持部材３と、風圧に同調して変位する弾性変位順応手段４を取り付けることによって、揺動材２の自動揺動制御が可能となり、風の衝撃を暖和して四方への拡散を防止でき、従来の雪止板の取り替え作業を解消した。【選択図】図３
2007056657.tif 000002
【特許請求の範囲】
【請求項１】
軒先に形成する雪庇の防止軽減を図る目的の雪庇防止装置であって、側面構造が直角三角形の構成を成し、該装置底部斜辺頂点と該上部において、変位可能な状態に空間立設する揺動材との間に、変位自在の揺動材支持部材と風圧に同調して変位する弾性変位順応手段を所定の長さに横築した長手方向に、一定の間隔で変位可能な状態に取り付けて支持し、風圧の強さに同調する弾性変位順応手段を介して、揺動材の傾きを自動揺動する機構を設けたことを特徴とする雪庇防止装置。
【発明の詳細な説明】
【技術分野】
【０００１】  本発明は、ビルの陸屋根や住宅の無落雪屋根の軒先に形成する雪庇に関するもので、雪塊の落下による人身及び物損の事故を未然に防止軽減を図る雪庇防止装置の技術に関する。
【背景技術】
【０００２】  冬場の寒冷地では、屋根に積る雪が屋根側から軒先に向けて吹き付ける風によって軒先へ移動し、軒を越え迫り出したり垂れ下がったりする。【０００３】  このような現象を雪庇と言い、雪庇防止策を溝じていない建物では、雪塊の落下による人身及び物損等の事故につながる危険性がある。こうした危険を回避するためには、雪の迫り出しを防止するとともに、該装置周辺に積もる雪を軽減する必要から、雪止柵となる雪庇防止装置の構造が重要になる。【０００４】  雪庇防止装置は、雪の迫り出しの防止軽減と、風による衝撃の暖和とともに、風向きを変えることによって雪を軒先より離し、該装置周辺の積雪を軽減する雪止柵であるが、従来におけるその構造は、風圧を暖和する必要から該装置の形状は、側面構造が直角三角形の構成を成し、その斜面を活用することで風の衝撃を和らげ、傾斜角の減少する斜め上方向に風向きを変えることにより、雪庇の形成の防止軽減を図る構造と成すが、雪止柵の役割を果す必要から、該装置の高さが積雪量に関係し、重要になる。【０００５】  積雪量は気象条件によって、一定せずこうした不確定条件に対応する必要上、該装置本体の上部頂点に積雪量に見合った高さの雪止板を取り付けてその量に対応しているが、積雪量が増えるごとに取り替える必要がある。【０００６】  上記雪止板は、高さが伸びる事に風圧を受ける面積が増し、その事が雪を運ぶ能力が著しく減少し、風雪の拡散をもたらす結果、積雪量が増す等の構造上の問題がある。
【発明の開示】
【発明が解決しようとする課題】
【０００７】  従来の雪庇防止装置では、積雪量の不確定条件に対応する必要上、積雪量の変化に応じて、その都度雪止板の取り替え作業を要し、その雪止板が風に逆らう面となることから、風雪の拡散をもたらし、該装置周辺において積雪量が増し、該装置上に雪庇が形成する等の構造上の問題があることが分かった。
【課題を解決するための手段】
【０００８】  そこで、上記の目的をより効果的に達するための直角三角形に構築した雪庇防止装置において、該上部頂点と該上部に変位可能な状態で空間立設する揺動材との間に、変位自在の揺動支持部材と、風圧に同調して変位する弾性変位順応手段を所定の長さに横築した長手方向に、一定の間隔で変位可能な状態に取り付けて支持し、風圧の強さに同調する弾性変位順応手段を介して、揺動材の傾きを自動揺動制御する揺動機構を設けた雪庇防止装置。【０００９】  この揺動材は、無風時においては垂直に立つが、風の抵抗を受けるとその風圧の強さに同調して、弾性変位順応手段が変位することで、揺動板が傾くように自動揺動する機構を持ち、弾性変位順応手段の弾力性は風の道を考慮した上で決定することが望ましい。【００１０】  このことから、屋根側から軒先に向けて吹く風が、該装置斜面に当ると同時に、拡散しながら傾斜角を減少する斜め上方向に上昇する一方、該装置上部に空間立設の揺動材と、該装置との間に取り付けた弾性変位順応手段が風の抵抗を受けると、その強さに同調しながら変位し、それに伴い揺動材を支える揺動材支持部材が同位して揺動材の斜面の長さを伸ばすことで、それが風速の効力を増す結果、風雪を軒先より遠くに飛ばすことができ、雪庇形成の防止軽減が可能になる。【００１１】  従来の雪庇防止装置では、積雪量に応じて雪止板の取り替えのための作業を要していたが、本発明による雪庇防止装置において揺動材に自動揺動制御機構を設けたことで、揺動材の高さは軒先における最大積雪量から、その高さの揺動材を設ければ、無風時において垂直立設の揺動材が雪止柵としての役割を果し、従来のような雪止板の取り替えが解消される。
【発明の効果】
【００１２】  請求項１に係る雪庇防止装置によれば、該構造は側面構造が直角三角形の構成を成し、その該上部頂点と揺動材との間に、変位自在の揺動支持部材と風圧に同調しながら変位する弾性変位順応手段を介して、揺動材の傾きを自動揺動制御することで、風の衝撃を暖和し、四方への拡散を防止して進行風速を高めることで雪を飛ばす効力が増し、該装置周辺の積雪量が減少し、雪庇の形成の防止軽減が可能になるとともに、従来の雪庇防止装置で行っていた雪止板の取り替え作業が解消される。
【発明を実施するための最良の形態】
【実施例】
【００１３】  以下の発明を図面を参照として説明する。
図１〜図３は、本発明の実施例を示し、図４は従来の雪庇防止装置の全体構造を示す斜視図である。【００１４】  図１は、実施する該装置（１）の上部に変位可能な揺動材（２）を変位自在な揺動支持部材（４）と風圧に同調して変位する弾性変位順応手段（３）を取り付けて、支持固定した状態を垂直側から見た正面図である。【００１５】  尚、上記実施例における部材のうち、揺動支持部材（４）は蝶番であり、弾性変位順応手段（３）は板ばねである。【００１６】  図２は、図１のＡ−Ａ線断面図であり、該装置（１）を構成する各部材は、垂直板（１ａ）斜面板（１ｂ）底板（１ｃ）側板（１ｄ）から成るアルミニウムの押し出し形材に、陽極酸化複合皮膜で表面処理したものを、シリコン系アクリル焼付塗装を施したアルミ板を組み合わせた後、ねじ止めして直角三角形に横築し、該上部に風圧を受けると変位揺動する揺動材（２）と、それを支持する揺動材支持部材に風圧に同調変位する弾性変位順応手段（３）を取り付けた状態の断面構造を示す。【００１７】  該装置の設置は、建物（８）の軒上に雨よけ用の受け金具（５）をのせ、受け金具の上に該装置を固定するためのベース金具（６）を置き、その上に該装置（１）をアンカーボルト（７）で固定した後、側板（１ｄ）を取り付ける。【００１８】  図３は、請求項１に係る雪庇防止装置（１）における全体構造の斜視図である。【００１９】  図４は、従来の雪庇防止装置（１０）に雪止板（９）を取り付けた状態の全体斜視図である。
【図面の簡単な説明】
【００２０】
【図１】  垂直面側から見た正面図である。
【図２】  図１のＡ−Ａ線断面図である。
【図３】  実施形態に係る該装置の全体斜視図である。
【図４】  従来の雪庇防止装置（１０）に、雪止板（９）を取り付けた状態の全体斜視図である。
【符号による説明】
【００２１】  １    雪庇防止装置
１ａ  垂直板
１ｂ  斜面板
１ｃ  底板
１ｄ  側板
２    揺動材
３    揺動材支持部材
４    弾性変位順応手段
５    受け金具
６    ベース金具
７    アンカーボルト
８    建物
９    雪止板
１０    従来の雪庇防止装置
【図１】
2007056657.tif 000003
【図２】
2007056657.tif 000004
【図３】
2007056657.tif 000005
【図４】
2007056657.tif 000006